【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
システムであって、
１または複数のプロセッサであって、
画像を取得し、
特殊マークに関連付けられている前記画像の第１の部分を決定し、
前記特殊マークに関連付けられている前記画像の前記第１の部分に少なくとも部分的に基づいて、ラベルに関連付けられている前記画像の第２の部分を決定し、前記特殊マークに関連付けられている前記画像の前記第１の部分に少なくとも部分的に基づいて、前記ラベルに関連付けられている前記画像の前記第２の部分を決定することは、前記特殊マークに関連付けられている前記画像の前記第１の部分の位置の近くの前記画像の領域内で、前記ラベルに関連付けられている前記画像の前記第２の部分を検索することを含み、
前記ラベルに関連付けられている前記画像の前記第２の部分に文字認識を適用して、前記ラベルに関する値を決定するよう構成されている、１または複数のプロセッサと、
前記１または複数のプロセッサに接続され、前記１または複数のプロセッサに命令を提供するよう構成されている１または複数のメモリと、
を備える、システム。
【請求項２】
請求項１に記載のシステムであって、前記画像は、カメラを介した前記画像の受信、スキャナを介した前記画像の受信、および、前記画像のダウンロードの内の一つまたは複数に少なくとも部分的に基づいて取得される、システム。
【請求項３】
請求項１に記載のシステムであって、前記画像は、１または複数の商品に関連付けられている、システム。
【請求項４】
請求項３に記載のシステムであって、前記ラベルは、前記１または複数の商品に関連付けられている識別情報を含む、システム。
【請求項５】
請求項１に記載のシステムであって、前記特殊マークに関連付けられている前記画像の前記第１の部分を決定することは、
特殊マークパターンに関連する黒い境界線の形状を前記画像内で検出し、
前記黒い境界線によって囲まれた内容を前記特殊マークパターンに関連付けられている指定された内容と比較し、
前記黒い境界線によって囲まれた前記内容が、前記指定された内容と一致する場合に、前記黒い境界線の前記形状を含む前記画像の部分が、前記特殊マークに関連付けられている前記画像の前記第１の部分を含むと決定することを含む、システム。
【請求項６】
請求項１に記載のシステムであって、前記特殊マークに関連付けられている前記画像の前記第１の部分を決定することは、
特殊マークパターンに関連する黒い境界線の形状を前記画像内で検出し、
前記黒い境界線の範囲内のピクセルラインが前記特殊マークパターンに関連付けられている黒白ピクセル比と一致するか否かを判定し、
前記黒い境界線の範囲内の前記ピクセルラインが、前記特殊マークパターンに関連付けられている前記黒白ピクセル比に一致すると判定された場合に、前記黒い境界線の前記形状を含む前記画像の部分が、前記特殊マークに関連付けられている前記画像の前記第１の部分を含むと決定することを含む、システム。
【請求項７】
請求項１に記載のシステムであって、前記１または複数のプロセッサは、さらに、前記ラベルに関連付けられている前記画像の前記第２の部分に文字認識を適用する前に、前記ラベルに関連付けられている前記画像の前記第２の部分を前記画像から抽出するよう構成されている、システム。
【請求項８】
方法であって、
画像を取得し、
１または複数のプロセッサを用いて、特殊マークに関連付けられている前記画像の第１の部分を決定し、
前記特殊マークに関連付けられている前記画像の前記第１の部分に少なくとも部分的に基づいて、ラベルに関連付けられている前記画像の第２の部分を決定し、前記特殊マークに関連付けられている前記画像の前記第１の部分に少なくとも部分的に基づいて、前記ラベルに関連付けられている前記画像の前記第２の部分を決定することは、前記特殊マークに関連付けられている前記画像の前記第１の部分の位置の近くの前記画像の領域内で、前記ラベルに関連付けられている前記画像の前記第２の部分を検索することを含み、
前記ラベルに関連付けられている前記画像の前記第２の部分に文字認識を適用して、前記ラベルに関する値を決定すること、
を備える、方法。
【請求項９】
請求項８に記載の方法であって、前記画像は、カメラを介した前記画像の受信、スキャナを介した前記画像の受信、および、前記画像のダウンロードの内の一つまたは複数に少なくとも部分的に基づいて取得される、方法。
【請求項１０】
請求項８に記載の方法であって、前記画像は、１または複数の商品に関連付けられている、方法。
【請求項１１】
請求項１０に記載の方法であって、前記ラベルは、前記１または複数の商品に関連付けられている識別情報を含む、方法。
【請求項１２】
請求項８に記載の方法であって、前記特殊マークに関連付けられている前記画像の前記第１の部分を決定することは、
特殊マークパターンに関連する黒い境界線の形状を前記画像内で検出し、
前記黒い境界線によって囲まれた内容を前記特殊マークパターンに関連付けられている指定された内容と比較し、
前記黒い境界線によって囲まれた前記内容が、前記指定された内容と一致する場合に、前記黒い境界線の前記形状を含む前記画像の部分が、前記特殊マークに関連付けられている前記画像の前記第１の部分を含むと決定すること、
を含む、方法。
【請求項１３】
請求項８に記載の方法であって、前記特殊マークに関連付けられている前記画像の前記第１の部分を決定することは、
特殊マークパターンに関連する黒い境界線の形状を前記画像内で検出し、
前記黒い境界線の範囲内のピクセルラインが前記特殊マークパターンに関連付けられている黒白ピクセル比と一致するか否かを判定し、
前記黒い境界線の範囲内の前記ピクセルラインが、前記特殊マークパターンに関連付けられている前記黒白ピクセル比に一致すると判定された場合に、前記黒い境界線の前記形状を含む前記画像の部分が、前記特殊マークに関連付けられている前記画像の前記第１の部分を含むと決定すること、
を含む、方法。
【請求項１４】
請求項８に記載の方法であって、さらに、前記ラベルに関連付けられている前記画像の前記第２の部分に文字認識を適用する前に、前記ラベルに関連付けられている前記画像の前記第２の部分を前記画像から抽出することを備える、方法。
【請求項１５】
画像を取得するための機能と、
特殊マークに関連付けられている前記画像の第１の部分を決定するための機能と、
前記特殊マークに関連付けられている前記画像の前記第１の部分に少なくとも部分的に基づいて、ラベルに関連付けられている前記画像の第２の部分を決定するための機能と、前記特殊マークに関連付けられている前記画像の前記第１の部分に少なくとも部分的に基づいて、前記ラベルに関連付けられている前記画像の前記第２の部分を決定する機能は、前記特殊マークに関連付けられている前記画像の前記第１の部分の位置の近くの前記画像の領域内で、前記ラベルに関連付けられている前記画像の前記第２の部分を検索することを含み、
前記ラベルに関連付けられている前記画像の前記第２の部分に文字認識を適用して、前記ラベルに関する値を決定するための機能と、
をコンピュータによって実現させるコンピュータプログラム。
【請求項１６】
請求項１５に記載のコンピュータプログラムであって、前記画像は、カメラを介した前記画像の受信、スキャナを介した前記画像の受信、および、前記画像のダウンロードの内の一つまたは複数に少なくとも部分的に基づいて取得される、コンピュータプログラム。
【請求項１７】
請求項１５に記載のコンピュータプログラムであって、前記画像は、１または複数の商品に関連付けられている、コンピュータプログラム。
【請求項１８】
請求項１７に記載のコンピュータプログラムであって、前記ラベルは、前記１または複数の商品に関連付けられている識別情報を含む、コンピュータプログラム。
【請求項１９】
システムであって、
１または複数のプロセッサであって、
画像を取得し、
特殊マークに関連付けられている前記画像の第１の部分を決定し、前記特殊マークに関連付けられている前記画像の前記第１の部分を決定することは、
特殊マークパターンに関連する黒い境界線の形状を前記画像内で検出し、
前記黒い境界線の範囲内のピクセルラインが前記特殊マークパターンに関連付けられている黒白ピクセル比と一致するか否かを判定し、
前記黒い境界線の範囲内の前記ピクセルラインが、前記特殊マークパターンに関連付けられている前記黒白ピクセル比に一致すると判定された場合に、前記黒い境界線の前記形状を含む前記画像の部分が、前記特殊マークに関連付けられている前記画像の前記第１の部分を含むと決定することを含み、
前記特殊マークに関連付けられている前記画像の前記第１の部分に少なくとも部分的に基づいて、ラベルに関連付けられている前記画像の第２の部分を決定し、
前記ラベルに関連付けられている前記画像の前記第２の部分に文字認識を適用して、前記ラベルに関する値を決定するよう構成されている、１または複数のプロセッサと、
前記１または複数のプロセッサに接続され、前記１または複数のプロセッサに命令を提供するよう構成されている１または複数のメモリと、
を備える、システム。
【請求項２０】
方法であって、
画像を取得し、
１または複数のプロセッサを用いて、特殊マークに関連付けられている前記画像の第１の部分を決定し、前記特殊マークに関連付けられている前記画像の前記第１の部分を決定することは、
特殊マークパターンに関連する黒い境界線の形状を前記画像内で検出し、
前記黒い境界線によって囲まれた内容を前記特殊マークパターンに関連付けられている指定された内容と比較し、
前記黒い境界線によって囲まれた前記内容が、前記指定された内容と一致する場合に、前記黒い境界線の前記形状を含む前記画像の部分が、前記特殊マークに関連付けられている前記画像の前記第１の部分を含むと決定することを含み、
前記特殊マークに関連付けられている前記画像の前記第１の部分に少なくとも部分的に基づいて、ラベルに関連付けられている前記画像の第２の部分を決定し、
前記ラベルに関連付けられている前記画像の前記第２の部分に文字認識を適用して、前記ラベルに関する値を決定すること、
を備える、方法。